(57)【要約】      （修正有）【課題】研磨均一性を改善する研磨パッドの製造方法を提供する。【解決手段】研磨パッドを製造する方法は、液滴噴出プリンタ５５のノズル５４から、パッド前駆体材料の液滴５２を噴出させて、研磨パッドの研磨層のポリマーマトリクス内に導入すべきポアを形成する。所望の分布によって指定される特定の場所にパッド前駆体材料を堆積させないようにするだけで、研磨層にポアの所望の分布を組み込むことができる。前記液滴噴出プリンタ５５を用いて、複数の場所に対応するポリマーマトリクスの複数の層が連続的に堆積される。前記前駆体が固化されて、ポアの所望の分布を有する固化されたポリマーマトリクス５６が形成される。【選択図】図３Ａ
2019069510.tif 000002
【特許請求の範囲】
【請求項１】
研磨パッドを製造する方法であって、
前記研磨パッドの研磨層のポリマーマトリクス内に導入すべきボイドの所望の分布を決定することと、
３Ｄプリンタによって読み取られるように構成され、ポリマーマトリクス前駆体が堆積されるべき複数の第１の場所を指定し、材料が堆積されるべきでないボイドの所望の分布に対応する複数の第２の場所を指定する電子制御信号を生成することと、
前記３Ｄプリンタで、前記複数の第１の場所に対応する前記ポリマーマトリクスの複数の層を連続的に堆積させることであって、前記ポリマーマトリクスの前記複数の層の各層が、ノズルから前記ポリマーマトリクス前駆体を放出することによって堆積される、連続的に堆積させることと、
前記ボイドの所望の分布を有する固化されたポリマーマトリクスを形成するために、前記ポリマーマトリクス前駆体を固化することと
を含む方法。
【請求項２】
前記ボイドの所望の分布を決定することは、前記ボイドのサイズ、及び前記ポリマーマトリクス内の前記ボイドの空間的場所から成るグループから選択される一又は複数のパラメータを決定することを含む、請求項１に記載の方法。
【請求項３】
前記研磨層の上面に溝を形成するために、前記研磨層の選択エリアに印刷することを含み、前記溝はポリマーマトリクス前駆体が堆積されない領域を含む、請求項１に記載の方法。
【請求項４】
前記ポリマーマトリクス前駆体を固化することは、前記３Ｄプリンタから前記ポリマーマトリクス前駆体が分注された後、前記ポリマーマトリクス前駆体が前記層の隣接位置に堆積される前に、インシトゥで前記ポリマーマトリクス前駆体を硬化させることを含む、請求項１に記載の方法。
【請求項５】
前記ポリマーマトリクス前駆体を硬化させることは、紫外線（ＵＶ）又は赤外線（ＩＲ）硬化を含む、請求項４に記載の方法。
【請求項６】
前記固化したポリマーマトリクスはポリウレタンを含む、請求項1に記載の方法。
【請求項７】
前記研磨パッドのバッキング層のポリマーマトリクス内に導入すべきボイドの第２の所望の分布を決定することを含み、前記バッキング層の前記ポリマーマトリクスの前記ボイドの第２の所望の分布は、前記研磨パッドの前記研磨層の前記ボイドの所望の分布とは異なる、請求項１に記載の方法。
【請求項８】
前記バッキング層の前記ポリマーマトリクスの前記ボイドの第２の所望の分布は、前記バッキング層が前記研磨層よりも圧縮性になるように、前記研磨層の前記ボイドの所望の分布よりも高い密度のボイドを有する、請求項７に記載の方法。
【請求項９】
前記バッキング層を形成するために、前記３Ｄプリンタで第２の複数の層を連続的に堆積させることを含む、請求項７に記載の方法。
【請求項１０】
前記研磨層が前記バッキング層に直接接着されるように、中間接着層を使用せずに、前記３Ｄプリンタによって前記研磨層が前記バッキング層に直接印刷される、請求項９に記載の方法。
【請求項１１】
３Ｄプリンタで複数の層を連続的に堆積させることを含み、前記複数の研磨層の各層は、研磨材料部分と、ウインドウ部分とを含み、前記研磨材料部分は、第１のノズルから研磨材料前駆体を放出し、前記研磨材料前駆体を固化して固化された研磨材料を形成することによって堆積され、前記ウインドウ部分は、第２のノズルからウインドウ前駆体を放出し、前記ウインドウ前駆体を固化して、固化されたウインドウを形成することによって堆積される、研磨パッドを製造する方法。
【請求項１２】
前記研磨材料前駆体と前記ウインドウ前駆体の硬化により、同じ組成を有する複数のポリマーマトリクスが形成される、請求項１１に記載の方法。
【請求項１３】
前記研磨材料前駆体は不透明性誘発添加物を含み、ウインドウ前駆体は上記添加物を含まない、請求項１２に記載の方法。
【請求項１４】
ポリマーマトリクス前駆体を放出するためのノズルを有する３Dプリンタと、
研磨パッドの研磨層のポリマーマトリクス内に導入すべきボイドの所望の分布を決定し、
前記ポリマーマトリクス前駆体が堆積されるべき複数の第１の場所を指定し、材料が堆積されるべきでない前記ボイドの所望の分布に対応する複数の第２の場所を指定する電子制御信号を前記３Ｄプリンタへ送り、前記複数の第１の場所に対応する前記ポリマーマトリクスの複数の層であって、前記ポリマーマトリクス前駆体の固化により前記ボイドの所望の分布を有する固化されたポリマーマトリクスが形成されるように、ノズルから前記ポリマーマトリクス前駆体を放出することによって、各層が堆積される、ポリマーマトリクスの複数の層を、前記３Ｄプリンタで連続的に堆積させるように構成されたコンピュータと
を備える、研磨パッドを製造するためのシステム。
【請求項１５】
研磨材料前駆体を放出するための第１のノズルと、ウインドウ前駆体を放出するための第２のノズルとを有する３Dプリンタと、
前記３Ｄプリンタに前記第１のノズルから前記研磨材料前駆体を放出し、前記第２のノズルから前記ウインドウ前駆体を放出することによって、複数の層を連続的に堆積させるように構成されたコンピュータであって、前記複数の研磨層の各層が、研磨材料部分とウインドウ部分を含み、前記研磨材料前駆体の固化により固化された研磨材料が形成され、前記ウインドウ前駆体の固化により固化されたウインドウが形成される、コンピュータと
を備える、研磨パッドを製造するためのシステム。
【発明の詳細な説明】
【技術分野】
【０００１】
本発明は、化学機械研磨に使用される研磨パッドに関する。
【背景技術】
【０００２】
集積回路は通常、シリコンウェハに導電層、半導電層、又は絶縁層を連続的に堆積させることによって基板に形成される。様々な製造プロセスにおいて、基板の層の平坦化が求められる。例えば、特定の用途、例えば、金属層を研磨してパターン層のトレンチにビア、プラグ、及びラインを形成する場合に、パターン層の上面が露出するまで上位層が平坦化される。他の用途、例えば、フォトリソグラフィにおいて誘電体層が平坦化される場合に、下位層の上に所望の厚みが残るまで上位層が研磨される。
【０００３】
化学機械研磨（ＣＭＰ）は、１つの認められた研磨方法である。この平坦化の方法では通常、基板がキャリアヘッドに取り付けられることが必要である。基板の露出面は通常、回転している研磨パッドに当接して置かれる。キャリアヘッドが、基板に制御可能な負荷をかけ、基板を研磨パッドに押し付ける。研磨粒子を有するスラリ等の研磨液が通常、研磨層の表面に供給される。
【０００４】
化学機械研磨プロセスの１つの目的は、研磨均一性である。基板の異なるエリアが異なるレートで研磨された場合、基板の幾つかのエリアから材料が過剰に除去される（「過剰研磨」）又は材料の除去が少なすぎる（「研磨不足」）可能性がある。
【０００５】
従来の研磨パッドは、「標準」パッドと、固定研磨パッドを含む。標準パッドは、耐久性のある粗面を有するポリウレタン製研磨層を有し、圧縮性バッキング層も含みうる。対照的に、固定研磨パッドは、格納媒体に保持された研磨粒子を有し、概して非圧縮性のバッキング層上に支持されうる。
【０００６】
研磨パッドは通常、ポリウレタン材料を型成形、鋳造、又は焼結することによって作られる。型成形の場合、研磨パッドは、例えば射出成形によって１つずつ作製されうる。鋳造の場合、液状前駆体が鋳込みされ、固形物に硬化され、次に個々のパッド片にスライスされる。これらのパッド片を次に加工して、最終的な厚さにすることができる。複数の溝を研磨面に加工作製することができる、又は射出成形プロセスの一部として形成することができる。  
【０００７】
平坦化に加えて、研磨パッドはバフ仕上げ等の仕上げ工程に使用することができる。  
【発明の概要】
【０００８】
研磨パッドの材料特性は、研磨に影響を与える。研磨層のバルクの孔隙率は、その圧縮率に影響を及ぼし、研磨層の表面の孔隙率は、スラリの分布に寄与しうる。孔隙率は、材料内のボイドの体積割合として測定されうる。
【０００９】
通常、研磨層の孔隙率は、パッド材料とは異なる材料を研磨パッドに含むことによって導入される。しかしながら、パッド材料と異なる材料との間の界面において、２つの材料の硬度の違いにより、研磨されている基板に二次的なひっかき傷ができる可能性がある。
【００１０】
幾つかの研磨層では、気泡が液状前駆体に注入されて、ボイドが形成される。気泡の局部分布の均一性を達成することは困難であり、気泡の局部分布により、研磨層の異なる領域全体の硬度に違いが生じうる。パッドの硬度の変化は、研磨された基板のウエハ内均一性に影響を与えうる。従来、パッドの研磨面に沿ってスラリを搬送しやすくするために、研磨層に溝が加工作製される。しかしながら、研磨層の溝の輪郭は、フライス加工、旋盤加工、又は加工プロセスにおいて制限される。加えて、研磨層材料の繊維は、フライス加工後に溝の側面に残りうる。これらの加工繊維は、スラリの流れの局部抵抗の原因となりうる。
【００１１】
３Ｄ印刷により、研磨層におけるポアの分布をより良く制御することが可能になる。代替として、又は加えて、３Ｄ印刷を使用して、特定の輪郭の溝を作製する、及び／又は研磨層の従来加工により生じる溝内の繊維を減らす（例えば取り除く）ことができる。
【００１２】
一態様では、研磨パッドを製造する方法は、研磨パッドの研磨層のポリマーマトリクス内に導入すべきボイドの所望の分布を決定することと、３Ｄプリンタによって読み取られるように構成された電子制御信号を生成することとを含む。制御信号は、ポリマーマトリクス前駆体が堆積されるべき複数の第１の場所を指定し、材料が堆積されるべきでないボイドの所望の分布に対応する複数の第２の場所を指定する。３Ｄプリンタで、複数の第１の場所に対応するポリマーマトリクスの複数の層が連続的に堆積され、ポリマーマトリクスの複数の層の各層は、ノズルからポリマーマトリクス前駆体を放出することによって堆積される。ポリマーマトリクス前駆体が固化されて、ボイドの所望の分布を有する固化されたポリマーマトリクスが形成される。
【００１３】
実装態様は一又は複数の下記の特徴を含みうる。
【００１４】
ボイドの所望の分布を決定することは、ボイドのサイズ、及びポリマーマトリクス内のボイドの空間的場所から成るグループから選択される一又は複数のパラメータを決定することを含みうる。
【００１５】
一又は複数のパラメータを選択して、回転している研磨プラテン上の研磨パッドの異なる直線速度を補正することができる。
【００１６】
研磨層の選択領域に印刷することは、研磨層の上面に複数の溝を形成するために実施することができ、複数の溝は、ポリマーマトリクス前駆体が堆積されない領域を含む。
【００１７】
複数の溝は、研磨層の上面全体で異なる深さを有しうる。
【００１８】
複数の溝により、第１のパターンに分布されたボイドが接続されて、スラリを搬送するように構成されたチャネルネットワークが形成されうる。
【００１９】
ポリマーマトリクス前駆体を固化することは、３Ｄプリンタからポリマーマトリクス前駆体が分注された後、ポリマーマトリクス前駆体が層の隣接位置に堆積される前に、インシトゥでポリマーマトリクス前駆体を硬化させることを含みうる。
【００２０】
ポリマーマトリクス前駆体を硬化させることは、紫外線（ＵＶ）又は赤外線（ＩＲ）硬化を含みうる。
【００２１】
ポリマーマトリクス前駆体は、ウレタンモノマーを含みうる。
【００２２】
固化したポリマーマトリクスは、ポリウレタンを含みうる。
【００２３】
研磨パッドのバッキング層のポリマーマトリクス内に導入すべきボイドの第２の所望の分布が決定されうる。
【００２４】
バッキング層のポリマーマトリクスのボイドの第２の所望の分布は、研磨パッドの研磨層のボイドの所望の分布とは異なっていてよい。
【００２５】
バッキング層のポリマーマトリクスのボイドの第２の所望の分布は、バッキング層が研磨層よりも圧縮性になるように、高い密度のボイドを有しうる。
【００２６】
研磨層のポリマーマトリクスの材料は、バッキング層のポリマーマトリクスの材料とは異なっていてよい。
【００２７】
バッキング層を形成するために、３Ｄプリンタで第２の複数の層が連続的に堆積される。
【００２８】
研磨層がバッキング層に直接接着されるように、中間接着層を使用せずに、３Ｄプリンタによって研磨層がバッキング層に直接印刷されうる。
【００２９】
ボイドは、３０〜５０ミクロンの寸法を有しうる。
【００３０】
別の態様では、研磨パッドを製造する方法は、３Ｄプリンタで複数の層を連続的に堆積させることを含み、複数の研磨層の各層は、研磨材料部分と、ウインドウ部分とを含み、研磨材料部分は、第１のノズルから研磨材料前駆体を放出し、研磨材料前駆体を固化して固化された研磨材料を形成することによって堆積され、ウインドウ部分は、第２のノズルからウインドウ前駆体を放出し、ウインドウ前駆体を固化して、固化されたウインドウを形成することによって堆積される。
【００３１】
実装態様は一又は複数の下記の特徴を含みうる。
【００３２】
研磨材料前駆体及びウインドウ前駆体を硬化させることで、同じ組成を有する複数のポリマーマトリクスが形成されうる。
【００３３】
研磨材料前駆体は不透明性誘発添加物を含むことができ、ウインドウ前駆体は上記添加物を含まなくてよい。
【００３４】
本発明の一又は複数の実施形態の詳細を、添付の図面および以下の記述で説明する。本発明の他の特徴、目的及び利点は、これらの記述および図面から、並びに特許請求の範囲から明らかになろう。
【図面の簡単な説明】
【００３５】
【図１】１Ａは例示の研磨パッドの概略断面図であり、１Ｂは別の例示の研磨パッドの概略断面図であり、１Ｃは更に別の例示の研磨パッドの概略断面図である。
【図２】化学機械研磨ステーションの部分的断面である概略側面図である。
【図３Ａ】研磨パッドを製造するのに使用される例示の３Ｄプリンタを示す概略断面図である。
【図３Ｂ】３Ｄ印刷によって形成されたポアを有する研磨層を示す概略断面図である。
【図３Ｃ】インシトゥ硬化用光源を有する、例示の３Ｄプリンタの概略断面図である。
【図３Ｄ】例示の研磨層の溝の概略断面図である。
【図３Ｅ】例示の研磨パッドの機械加工繊維を有する溝の概略断面図である。
【発明を実施するための形態】
【００３６】
様々な図面における同じ参照符号は同じ要素を示す。
【００３７】
図１Ａ〜１Ｃを参照すると、研磨パッド１８は研磨層２２を含む。図１Ａに示すように、研磨パッドは、研磨層２２から成る単一層でありうる、又は図１Ｃに示すように、研磨パッドは、研磨層２２と、少なくとも１つのバッキング層２０を含む複数層のパッドでありうる。  
【００３８】
研磨層２２は、研磨プロセスにおいて不活性材料でありうる。研磨層２２の材料は、プラスチック、例えばポリウレタンでありうる。幾つかの実装態様では、研磨層２２は比較的強く、硬い材料である。例えば、研磨層２２は、ショアＤスケールの約４０〜８０、例えば５０〜６５の硬度を有しうる。  
【００３９】
図１Ａに示すように、研磨層２２は、均質組成の層でありうる、又は図１Ｂに示すように、研磨層２２は、例えばポリウレタン等のプラスチック材料のマトリクス２９に保持された研磨粒子２８を含みうる。研磨粒子２８は、マトリクス２９の材料よりも硬いものであってよい。研磨粒子２８は、研磨層の０．０５〜７５重量％であってよい。例えば、研磨粒子２８は、研磨層２２の１重量％未満、例えば０．１重量％未満であってよい。あるいは、研磨粒子２８は、研磨層２２の１０重量％を超えうる、例えば５０重量％を超えうる。研磨粒子の材料は、セリア、アルミナ、シリカ、又はこれらの組み合わせ等の金属酸化物であってよい。   
【００４０】
幾つかの実装態様では、研磨層は、ポア、例えば小さなボイドを含む。ポアは、５０〜１００ミクロンの幅であってよい。
【００４１】
研磨層１８は、８０ミル以下、例えば５０ミル以下、例えば２５ミル以下の厚さＤ１を有しうる。調整プロセスによりカバー層がすり減りやすいため、研磨層２２の厚さは、研磨パッド１８に例えば３０００回の研磨及び調整サイクルの有用な寿命が提供されるように選択されうる。  
【００４２】
顕微鏡スケールでは、研磨層２２の研磨面２４は、例えば２〜４ミクロンｒｍｓの粗い質感の表面を有しうる。例えば、研磨層２２に研削プロセス又は調整プロセスを施して、粗い質感の表面を生成することができる。加えて、３Ｄ印刷により、例えば３０ミクロンまでの小さい均一特徴部が提供されうる。
【００４３】
研磨面２４では顕微鏡スケールでは粗くなっていて良いが、研磨層２２は研磨パッド自体の巨視的スケールの厚さ均一性が良好でありうる（この均一性は、研磨層の底面に対する研磨面２４の高さのグローバル変動を指し、研磨層に意図的に形成されたいかなる肉眼的溝又は貫通孔をも含むものではない）。例えば、厚さの非均一性は１ミル未満でありうる。
【００４４】
オプションとして、研磨面２４の少なくとも一部が、スラリを搬送するために研磨面に形成された複数の溝２６を含みうる。溝２６は、例えば同心円、直線、斜交平行、螺旋等のほぼいかなるパターンのものであってもよい。溝があると仮定すると、研磨面２４、すなわち溝２６間のプラトーは、すなわち研磨パッド２２の水平表面積全体の約２５〜９０％でありうる。従って、溝２６は、研磨パッド１８の水平表面積全体の１０〜７５％を占めうる。溝２６間のプラトーは、約０．１〜２．５ｍｍの横幅を有しうる。
【００４５】
幾つかの実装態様では、例えばバッキング層２０がある場合、溝２６は研磨層２２を完全に貫通して延在しうる。幾つかの実装態様では、溝２６は、研磨層２２の厚さの約２０〜８０％、例えば４０％を貫通して延在しうる。溝２６の深さは０．２５〜１ｍｍであってよい。例えば、５０ミルの厚さの研磨層２２を有する研磨パッド１８では、溝２６は約２０ミルの深さＤ２でありうる。
【００４６】
バッキング層２０は、研磨層２２よりも柔軟で、より圧縮性でありうる。バッキング層２０は、ショアＡスケールで８０以下の硬度、例えば約６０ショアＡの硬度を有しうる。バッキング層２０は、研磨層２２よりも厚い、又は薄い、又は同じ厚さであってよい。
【００４７】
例えば、バッキング層は、ボイドを有するポリウレタン又はポリシリコン等のオープンセル又はクローズセル発泡体であってよく、これにより加圧下でセルがつぶれ、バッキング層が圧縮される。適切なバッキング層の材料は、コネクチカット州ロジャースのロジャース社のＰＯＲＯＮ４７０１−３０、又はＲｏｈｍ＆Ｈａａｓ社のＳＵＢＡ−ＩＶである。バッキング層の硬度は、層材料と孔隙率を選択することによって調節可能である。あるいは、バッキング層２０は、同じ前駆体から形成され、研磨層と同じ孔隙率を有するが、異なる硬化度を有することで異なる硬度を有するようになる。  
【００４８】
ここで図２を参照すると、ＣＭＰ装置の研磨ステーション１０において、一又は複数の基板１４が研磨されうる。適切な研磨装置の説明は、参照することによって発明全体が本明細書に組み込まれる、米国特許第５７３８５７４号明細書で見ることができる。
【００４９】
研磨ステーション１０は、研磨パッド１８がその上に配置される回転可能なプラテン１６を含みうる。研磨ステップの間、研磨液３０、例えば研磨スラリは、スラリ供給ポート又は結合したスラリ／リンスアーム３２によって研磨パッド１８の表面に供給されうる。研磨液３０は、研磨粒子、ｐＨ調節剤、又は化学活性成分を含みうる。
【００５０】
基板１４は、キャリアヘッド３４によって研磨パッド１８に当接して保持される。キャリアヘッド34は支持構造、例えば回転台から吊るされ、キャリアドライブシャフト36によってキャリアヘッドの回転モータに接続されており、これによりキャリアヘッドが軸38を中心として回転することができる。研磨液３０の存在下での研磨パッド１８と基板１４の相対的な動きにより、基板１４が研磨される。
【００５１】
研磨層のパッド硬度、及びその他の材料の特性は、研磨工程に影響をもたらす。パッド硬度は、研磨層を製造するのに使用される材料、研磨層の孔隙率の範囲及び分布、及びポリマーマトリクス前駆体を硬化させるのに使用される硬化度によって決定される。
【００５２】
孔隙率の範囲及び分布を制御することにより、パッド硬度が局部的に制御される。例えば、研磨面全体で、空間的に研磨層を製造するために使用される（異なる硬度を有する）材料を効率的に変化させることは困難でありうる。同様に、研磨層全体において、良好な解像度でパッド前駆体の硬化度を制御することは困難となり得る。しかしながら、後に記載するように、ポアの場所及び密度を３Ｄ印刷プロセスにおいて制御することが可能である。
【００５３】
通常、研磨層２２の孔隙率は、研磨層にポリマーマトリクス前駆体とは異なる材料を含むことによって導入される。幾つかの研磨パッドでは、研磨層にポア含有（例えば空洞の）粒子を含むことによって、孔隙率が導入される。例えば、既知のサイズの空洞のミクロスフェアを液状前駆体と混合し、その後硬化させて、研磨層の材料を形成することができる。しかしながら、パッド材料と粒子との間の界面における２つの材料の硬度の差により、研磨されている基板に二次的なひっかき傷ができる可能性がある。
【００５４】
幾つかの研磨層では、ボイドを作製するために粒子の代わりに気泡が使われる。この方法では、孔隙率を生成するために、研磨層の粒子とは異なる材料でできた粒子を使用する必要がなくなる。全体的な孔隙率を制御することは可能であるが、気泡が使われる場合、ポアのサイズとポアの分布を制御することは困難である。気泡のサイズと場所がややランダムであるため、ポアの分布及び局部孔隙率を制御することは困難であり、研磨層の異なる領域にわたって硬度に差が生じる可能性がある。例えば、直径は局部表面張力の関数であるため、泡の直径を効率的に制御することができない。加えて、気泡の局部分布を制御することは困難であり、このため研磨層の異なる領域にわたり硬度に違いが生じる可能性があり、パッドの硬度が変わる原因となり、最終的なウエハの研磨に影響を及ぼしうる。
【００５５】
幾つかの実装態様では、研磨パッドは、均一に分布されたポアを有するように製造される。  
【００５６】
幾つかの実装態様では、研磨パッドは、研磨層の硬度に差が生じるため、研磨パッドの中央部分に比べて研磨パッドの（円周近くの）エッジにおいて大きい、研磨パッドの直線速度の差を補正するのに使用される、分布したポアを有するように製造される。これを補正しないと、研磨パッドの半径全体の研磨速度のこの差により、基板が研磨層の異なる半径位置において研磨されるため、基板の研磨に差が生じる可能性がある。  
【００５７】
幾つかの実装態様では、研磨パッドは、研磨層の硬度に差が生じるため、研磨速度の非均一性の他の原因を補正する、分布したポアを有するように製造される。  
【００５８】
研磨層の硬度を効率的に制御するために、最初にコンピュータによるシミュレーションを使用して、研磨層の異なる場所において、研磨層の所望の硬度を決定することができる。上記シミュレーションにより、例えば研磨パッドが回転している時に研磨パッドの直線速度の差を補正するのに使用できる、研磨層の硬度プロファイルが作成される。選択された硬度プロファイルに基づいて、次に選択されたプロファイルを達成するために孔隙率が適切に分布される。ポアのサイズ、ポアの密度と空間的分布が、選択された硬度プロファイルと整合されうる。
【００５９】
３Ｄ印刷は、コンピュータシミュレーションによって決定された孔隙率を得るのに便利で、高度に制御可能なプロセスを提供する。図３Ａを参照すると、図１Ａ〜１Ｃに示す研磨パッド１８の少なくとも研磨層２２は、３Ｄ印刷プロセスを使用して製造される。1A-1C is manufactured using a 3D printing process.製造プロセスでは、薄い材料の層が徐々に堆積され、溶融される。例えば、パッド前駆体材料の液滴５２を、液滴噴出プリンタ５５のノズル５４から噴出させて、層５０を形成することができる。液滴噴出プリンタはインクジェットプリンタと似ているが、インクの代わりにパッド前駆体材料を使用する。ノズル５４は、（矢印Ａで示すように）支持体51全体を平行移動する。
【００６０】
堆積させた第１の層５０ａにおいて、ノズル５４は支持体５１上に噴出しうる。その次に堆積させた層５０ｂにおいては、ノズル５４はすでに固化した材料５６上に噴出しうる。各層５０が固化した後、３次元研磨層２２が完全に製造されるまで、前に堆積させた層の上に新たな層を堆積させる。各層は、ノズル５４によって、コンピュータ６０で実行される３Ｄ描画コンピュータプログラムに記憶されたパターンで適用される。  
【００６１】
支持体５１は堅い基部であってよい、又は例えばポリテトラフルオロエチレン（ＰＴＦＥ）の層等の柔軟性フィルムであってよい。支持体５１がフィルムである場合、支持体５１は研磨パッド１８の一部を形成しうる。例えば、支持体５１はバッキング層２０であってよい、又はバッキング層２０と研磨層２２との間の層であってよい。あるいは、研磨層２２を支持体５１からなくすことができる。
【００６２】
所望の分布によって指定される特定の場所にパッド前駆体材料を堆積させないようにするだけで、研磨層２２にポアの所望の分布を組み込むことができる。つまり、その特定の場所にパッド前駆体材料を分配しないだけで、特定の場所にポアを形成することができる。  
【００６３】
３Ｄ印刷では、所望の堆積パターンをＣＡＤ適合ファイルで指定し、その後、プリンタを制御する電子コントローラ（例えばコンピュータ）によって読み取ることができる。電子制御信号を次にプリンタへ送って、ノズル５４がＣＡＤ適合ファイルによって指定された位置まで平行移動した時にのみ、パッド前駆体材料が分配される。こうすれば研磨層２２の実際のポアのサイズを測定する必要はなく、材料を３Ｄ印刷するのに使用されるＣＡＤファイルに含まれる命令に、研磨層２２に組み込まれるべき孔隙率の実際の場所及びサイズが記録される。
【００６４】
図３Ｂに、３Ｄ印刷印刷によって形成されたポア３２５の詳細図を示す。ノズル５４は、ノズル５４を含むプリンタの解像度で堆積された一連のパッド前駆体部分３１１でできた第１の層３１０を堆積させる。部分３１１は、長方形形状に概略的にのみ示されている。例えば６００ドット／インチ（ｄｐｉ）の解像度を有する典型的な高速プリンタでは、各部分３１１（例えば各ピクセル）の幅は３０〜５０ミクロンでありうる。
【００６５】
連続的に第１の層３１０を堆積させた後に、ノズル５４を使用して第２の層３２０を堆積させる。第２の層３２０は、ポリマーマトリクス前駆体をノズル５４が堆積させないボイド３２５を含む。３０〜５０ミクロンのポアは、単にこれらの場所に材料を堆積させないことによって、第２の層３２０に形成されうる。  
【００６６】
ボイドを有する部分のすぐ上の層には、第２の層３２０のボイド３２５のすぐ上のオーバーハング３３２が生じうる。オーバーハング３３２は、堆積されたポリマーマトリクス前駆体部分３３１の表面張力によって横方向に保持されるため、オーバーハング３３２がボイド３２５の中に落ちることが防止される。ノズル５４はそして、ボイド３２５の上に延在するオーバーハング３３４を含むポリマーマトリクス前駆体部分３３３の堆積を継続する。オーバーハング３３２と同様に、堆積されたポリマーマトリクス前駆体部分３３３の表面張力により、オーバーハング３３２がボイド３２５の中に落ちることが防止される。  
【００６７】
印刷された各層３１０〜３３０の厚さは、３０〜５０ミクロンであってよい。図３Ｂに、長方形の形状のボイドを示したが、一般に研磨層のポアは、球状であってよい、又は例えば立方体又はピラミッド形等のその他の形状寸法を有しうる。ボイドの最小限のサイズは、プリンタの解像度によって決定される。
【００６８】
あるいは、研磨プロセス中に磨滅するポア表面を有するパッドの研磨面近くのポアにおいては、研磨プロセスに適合する流体（例えば水）を、例えば第２のノズルによってボイドの中に堆積させうる。ボイドの上に堆積されるパッド前駆体材料は流体とは混和性ではなく、流体の存在によってボイドの中に落ちることが防止される。研磨プロセス中に、ポア表面の一部が磨滅したら、研磨プロセス中に使用される流体がポアから流れ出て、ポアは、空のポアの圧縮性を有するようになる。
【００６９】
紫外線（ＵＶ）又は赤外線（ＩＲ）硬化性ポリマーをパッド前駆体材料として使用して、研磨層を製造することができ、射出成形を使用して研磨パッドを製造する時に要求されるオーブンは必要なくなる。研磨パッドの製造プロセスを業者側から移して、顧客側で使用されるように顧客に直接認可を与えて、実際に必要とされる数のパッドを顧客が製造できるようにすることができる。
【００７０】
堆積されたパッド前駆体材料の固化は、ポリメリゼーションによって達成されうる。例えば、パッド前駆体材料の層５０はモノマーであってよく、モノマーは、ＵＶ硬化によってインシトゥで重合させることができる。例えば、ＵＶ又はＩＲ光源３６０を、図３Ｃに示すように、ノズル５４にかなり接近させて位置決めすることができる。この場合、インシトゥでの硬化は、堆積される材料が研磨層の所望の場所に堆積された時に固化するように、パッド前駆体材料がノズル５４から分配された直後に行うことができる。さらに、ＵＶ又はＩＲ光源の強度は、インシトゥでの硬化が、堆積されたパッド前駆体材料に十分な構造剛性を付与する程度に起こるように調節可能である。あるいは、パッド前駆体材料の全層５０を堆積させた後に、全層５０を同時に硬化させることができる。
【００７１】
硬化可能なパッド前駆体材料の使用に加えて、液滴５２は、冷えると固化するポリマー溶解物であってよい。あるいは、プリンタにより、粉の層を散らして、粉の層の上にバインダー材料の液滴を噴出させることによって、研磨層２２が作製される。この場合、粉は例えば研磨粒子２２等の添加物を含みうる。
【００７２】
溝
従来は、研磨面２４内にスラリを運ぶために、研磨面２４に形成される溝２６が、通常機械加工される。しかしながら、上記溝のプロファイルは、フライス加工、旋盤又は加工プロセスによって限定される。
【００７３】
３Ｄ印刷を使用することによって、幅広い種類の断面形状を有する溝を作製することが可能である。例えば、溝の底部よりも上部の方が狭い溝を作製することが可能でありうる。例えば、図３Ｄに示すように、鳩尾形のプロファイル３７０の溝を達成することは困難である。
【００７４】
図３Ｃに示すように、フライス加工後にパッド材料の繊維３８０が溝２４の側面に残りうる。これらの機械加工繊維は、スラリの流れに対する局部抵抗の原因となりうる。３Ｄ印刷により、これらの繊維を減らす（又は除去する）ことができる。
【００７５】
加えて、スラリを搬送しやすくするために、ポアを所望のパターンで溝と相互接続させることができる。異なる深さの溝を、研磨層に製造することも可能である。
【００７６】
従来のパッドは、感圧接着剤（ＰＳＡ）によってやわらかいサブパッド（例えばバッキング層２０）に固定される硬質のカバー層（例えば研磨層２２）を含む。３Ｄ印刷を使用して、接着剤層、例えばＰＳＡを使用せずに、複数層の研磨パッドを一回のプリント工程で作製することができる。異なる前駆体ポリマーを印刷することによって、及び／又は同じパッド前駆体ポリマーを使用するが、印刷された構造の孔隙率を上げてバッキング層２０が研磨層２２よりも柔らかくなるようにすることによって、バッキング層２０を作製しうる。更に、異なる硬化量、例えば異なるＵＶ放射線強度を使用することによって、研磨層２２とは硬度がことなるバッキング層２０を提供することができる。  
【００７７】
透明なウインドウを研磨層内に埋め込むことができる。光学モニタシステムは、透明なウインドウを通して、研磨されている基板の層へ光線を送り、また層から光線を受けて、基板研磨の終点をより正確に決定することができる。
【００７８】
透明なウインドウを別々に製造した後に、接着剤又はその他の技法を用いてウインドウを研磨層に形成された対応する開孔に固定する代わりに、３Ｄ印刷により、透明なウインドウが研磨層に直接堆積させることが可能になる。例えば、透明なウインドウを製造するのに使用される光学的に透明な材料（例えば空洞のミクロスフェア等の不透明性誘発添加物なしの透明なポリマー前駆体）を分配するために第２のノズルが使用され、特定の場所にボイドを有するパッド前駆体材料を分配して所望の孔隙率を達成するために、第１のノズルが使用される。透明なウインドウ材料と、パッド前駆体との間の界面は、印刷プロセス中に直接結合され、添加物は必要ない。ウインドウは、例えば孔隙率なしで、均一な固体として印刷されうる。
【００７９】
３Ｄ印刷法により、層ごとに印刷することで厳しい許容値を達成することが可能になる。また、（プリンタ５５とコンピュータ６０とを有する）一つの印刷システムを使用して、３Ｄ描画コンピュータプログラムに保存されたパターンを単に変えることによって、研磨層に所望分布の異なる孔隙率を有する様々な異なる研磨パッドを製造することができる。  
【００８０】
ＣＭＰに使われる研磨パッドの孔隙率の分布を調整することの他に、本明細書に記載された方法及び装置を使用して、衝撃吸収、防音、及び部品の熱管理用に孔隙率のサイズ及び孔隙率の分布を制御することも可能である。
【００８１】
幾つかの実装態様が説明されてきた。このような次第であるが、様々な修正を行うことができることを理解すべきである。例えば、研磨パッド若しくはキャリアヘッドのいずれか、又はこれらの両方が移動して、研磨面と基板との間の相対運動を起こすことができる。研磨パッドは、円形または何か他の形状のパッドとすることができる。接着剤層を研磨パッドの底面に適用して、パッドをプラテンに固定することができ、研磨パッドをプラテン上に配置する前に、接着剤層を取り外し可能なライナーでカバーすることができる。加えて、垂直方向の位置決め用語が使用されているが、研磨面及び基板は、上下逆さまに、垂直の配向に、又は他の何らかの配向に保持されうることを理解すべきである。
【図１】
2019069510.tif 000003
【図２】
2019069510.tif 000004
【図３Ａ】
2019069510.tif 000005
【図３Ｂ】
2019069510.tif 000006
【図３Ｃ】
2019069510.tif 000007
【図３Ｄ】
2019069510.tif 000008
【図３Ｅ】
2019069510.tif 000009
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
研磨パッドを製造する方法であって、
前記研磨パッドの研磨層のポリマーマトリクス内に導入すべきポアの所望の分布を示すデータを受信することと、
積層造形を用いて前記研磨層を形成するために、連続的に複数の層を堆積することと、
を含み、
前記複数の層を堆積することは、
前記複数の層の第１の層として、下位層上の複数の第１の場所に、ポリマーマトリクス前駆体の液滴を放出することと、
前記第１の層として、前記下位層上の一又は複数の第２の場所に、流体の液滴を放出することであって、前記一又は複数の第２の場所は前記ポアの所望の分布の一又は複数のポアに対応する、流体の液滴を放出することと、
前記第１の層として、前記ポリマーマトリクス前駆体を固化して、前記第１の層の固化されたポリマーマトリクスを形成することと、
前記第１の層上に堆積される前記複数の層の第２の層として、前記一又は複数のポア内の前記流体の上に、前記ポリマーマトリクス前駆体の液滴を放出することと、
前記第２の層として、前記ポリマーマトリクス前駆体を固化して、前記一又は複数のポア上に延在する前記第２の層の固化されたポリマーマトリクスを形成することと、
を含む、方法。
【請求項２】
前記ポリマーマトリクス前駆体の液滴を放出することは、印刷システムの第１のノズルから液滴を放出することを含み、
前記流体の液滴を放出することは、前記印刷システムの第２のノズルから液滴を放出することを含む、請求項１に記載の方法。
【請求項３】
前記研磨パッドのための支持体を横切って、前記第１のノズルを平行移動することを含む、請求項２に記載の方法。
【請求項４】
前記ポリマーマトリクス前駆体が分注された後、前記ポリマーマトリクス前駆体が層の隣接位置に堆積される前に、前記層の前記ポリマーマトリクス前駆体をインシトゥで硬化させることを含む、請求項３に記載の方法。
【請求項５】
前記ポリマーマトリクス前駆体を固化することは、前記ポリマーマトリクス前駆体を光で硬化することを含む、請求項１に記載の方法。
【請求項６】
前記ポリマーマトリクス前駆体はウレタンモノマーを含み、前記固化されたポリマーマトリクスはポリウレタンを含む、請求項１に記載の方法。
【請求項７】
研磨パッドを製造するためのシステムであって、
支持体と、
研磨材料前駆体を前記支持体に向けて放出するための第１のノズル、流体を前記支持体に向けて放出するための第２のノズル、及び前記研磨材料前駆体を固化するためのエネルギー源を有する３Ｄプリンタと、
前記３Ｄプリンタに連続的に複数の層を堆積させるコンピュータと、
を備え、
前記複数の層を堆積することは、
前記複数の層の第１の層として、下位層上の複数の第１の場所に、ポリマーマトリクス前駆体の液滴を放出することと、
前記第１の層として、前記下位層上の一又は複数の第２の場所に、流体の液滴を放出することであって、前記一又は複数の第２の場所はポアの所望の分布の一又は複数のポアに対応する、流体の液滴を放出することと、
前記第１の層上に堆積される前記複数の層の第２の層として、前記一又は複数のポア内の前記流体の上に、前記ポリマーマトリクス前駆体の液滴を放出することと、
を含む、システム。
【請求項８】
前記エネルギー源は光源を備える、請求項７に記載のシステム。
【請求項９】
前記第１のノズル及び第２のノズルは、前記支持体を横切って平行移動するように構成されている、請求項７または８に記載のシステム。
【請求項１０】
前記３Ｄプリンタは、前記研磨材料前駆体が分注された後、前記研磨材料前駆体が層の隣接位置に堆積される前に、前記層の前記研磨材料前駆体を硬化させるように構成されている、請求項７〜９のいずれか一項に記載のシステム。
【外国語明細書】
2019069510000001.pdf